(57)【要約】【課題】  クリーニングブラシの経時的な特性変化に起因する清掃不良や、従来技術において、前記清掃不良を発生させないため、ＡＣ除電器の出力を高く設定していることによる、放電障害、ＡＣ除電器の短寿命化といった不具合をなくする。【解決手段】  光導電性を有する感光体と、前記感光体を帯電させるための帯電器と、前記感光体に静電潜像を形成する露光光源と、前記静電潜像を現像する現像機と、現像後の画像を用紙に転写する転写器と、前記感光体の除電を行なうＡＣ除電器と、前記感光体表面の清掃を行なうクリーニングブラシを備えた電子写真装置において、前記ＡＣ除電器の出力を前記クリーニングブラシの使用量に応じて変更可能とした。【選択図】図１
2005077654.tif 000002
【特許請求の範囲】
【請求項１】
光導電性を有する感光体と、前記感光体を帯電させるための帯電器と、前記感光体に静電潜像を形成する露光光源と、前記静電潜像を現像する現像機と、現像後の画像を用紙に転写する転写器と、前記感光体の除電を行なうＡＣ除電器と、前記感光体表面の清掃を行なうクリーニングブラシを備えた電子写真装置において、前記ＡＣ除電器の出力を前記クリーニングブラシの使用量に応じて変更可能としたことを特徴とする電子写真装置。
【請求項２】
前記ＡＣ除電器の出力は、前記クリーニングブラシが新しいほど高く設定されていることを特徴とする請求項１記載の電子写真装置。
【発明の詳細な説明】
【技術分野】
【０００１】
本発明は、電子写真装置に関し、さらに詳しくはＡＣ（交流）除電器に関する。
【背景技術】
【０００２】
図４に電子写真装置の従来例の概略図を示す。
【０００３】
図４に示すように、光導電体である感光体１は、帯電器２により一様に帯電される。次に、感光体１は露光光源４により露光され、静電潜像が形成され、現像機６の現像ロール５により、感光体１面上の静電潜像が現像される。現像機６は、粉体インクであるトナー１３と該トナー１３と摩擦帯電するキャリア１５とが一定の割合で混合された現像剤１６で満たされている。現像された前記感光体１の画像は、転写器７により用紙１７に転写され、図示しない定着部により定着される。転写後の未転写トナー１４が付着している前記感光体１は、ＡＣ除電器８、イレーズランプ１１、クリーニングブラシ（クリーナ）１２により除電、清掃され、上記したプロセスを繰り返す。
【０００４】
なお、図４中、３は高圧電源、４は露光光源、９はシールド部材、１０はワイヤ部材を示す。
【０００５】
図5に従来技術における電子写真装置のクリーニングブラシ使用量（印刷枚数）と、ＡＣ除電器の出力の関係を示す。また、図3にクリーニングブラシ使用量（印刷枚数）と、清掃性の関係を示す。
【０００６】
図3に示すように、より新しいクリーニングブラシの状態では、ブラシ毛（繊維）が荒いため、清掃性が落ちる。逆にある程度使用することにより、前記クリーニングブラシ１２は、前記感光体1との接触により、ブラシ毛先部から裂け、ブラシの繊維が細かくなることにより前記感光体1との負荷が小さくなるため、若干前記クリーニングブラシの回転数が増加することにより、清掃性は向上していく。従って、前記感光体1の清掃性は、前記クリーニングブラシ１２が新しいほど悪く、ある程度使い込んだ方が良いことになる。
【０００７】
図5に示すように、従来技術の電子写真装置のＡＣ除電器の出力は前記クリーニングブラシ１２の使用量による清掃性の変化に関係なく一定であるため、前記クリーニングブラシが新品時に清掃不良を発生させる場合がある。また、従来技術により、前記クリーニングブラシ１２の新品時に清掃不良が発生しないように、高いＡＣ出力で常に一定に保とうとすると、前記ＡＣ除電器8の電圧が高くなり、高圧系の放電障害を起こす可能性が高い（例えば、特許文献１、２参照）。
【０００８】
【特許文献１】特開平０７-０９２８６９号公報
【０００９】
【特許文献２】特開平０９-１４６４２９号公報
【発明の開示】
【発明が解決しようとする課題】
【００１０】
電子写真装置のＡＣ除電器において、前記クリーニングブラシ１２の経時的な特性で、前記感光体の清掃性が変化するため、従来のＡＣ除電器のような一定の出力制御では、前記クリーニングブラシ１２が新品時から寿命時まで、安定した清掃性を確保できない。また、ＡＣ出力アップにより感光体１の未転写トナー１４の清掃を可能にしようとすると、放電障害率が増加し、ＡＣ除電器の短寿命化の原因となる。
【００１１】
本発明の目的は、上記の点を改善し、電子写真装置の信頼性を増し、常に安定した印刷品質を提供することにある。
【課題を解決するための手段】
【００１２】
上記目的は、クリーニングブラシの使用量に応じてＡＣ除電器の出力を変更可能にすることにより達成される。
【００１３】
また上記目的は、前記ＡＣ除電器の出力を、前記クリーニングブラシが新しいほど高く設定し、使用量に応じて前記ＡＣ除電器の出力を低下させることにより達成される。
【発明の効果】
【００１４】
本発明によれば、ＡＣ除電器の出力設定を、クリーニングブラシの経時変化特性に合わせて変更可能にすることにより、常に良好な清掃性を維持するとともに、ＡＣ除電器の出力低減を図ることができ、電子写真装置の信頼性を増し、常に安定した印刷品質を保つことができる。
【発明を実施するための最良の形態】
【００１５】
以下本発明を図１〜図３の実施例を用いて説明する。
【実施例】
【００１６】
図１は、電子写真装置を示す構成図であり、感光体１、帯電器２、高圧電源３、露光光源４、現像ロール５、現像機６、転写器７、ＡＣ除電器８、イレーズランプ１１、クリーニングブラシ１２で構成されており、その基本的な印刷プロセス（帯電、静電潜像、現像、転写、除電クリーニングの一連の工程）動作は図４に示した従来例と同様であり、ここでの説明は省略する。
【００１７】
従来例と異なる点は、前記クリーニングブラシの使用量に応じて、ＡＣ除電器８の出力を変更可能とした点である。図3にクリーニングブラシ使用量（印刷枚数）と、清掃性の関係を示す。図3に示すように、新しいクリーニングブラシの状態では、ブラシ毛（繊維）が荒いため、清掃性が低下する。逆にある程度使用することにより、前記クリーニングブラシ１２は、前記感光体1との接触により、ブラシ毛先部から裂け、ブラシの繊維が細かくなることにより前記感光体1との負荷が小さくなるため、若干前記クリーニングブラシの回転数が増加することにより、清掃性は向上していく。従って、前記感光体1の清掃性は、前記クリーニングブラシ１２が新しいほど悪く、ある程度使い込んだ方が良いことになる。
【００１８】
図2に本発明による前記クリーニングブラシ使用量（印刷量）とＡＣ除電器の出力の関係を示す。図2に示すように、前記クリーニングブラシ１２が新品の時は、清掃性が悪いため、ＡＣ出力を高くしてある。また、前記クリーニングブラシ１２が寿命に近づくに従って、清掃性は向上するため、前記ＡＣ出力を下げている。従って、本発明によれば、前記クリーニングブラシ１２使用量に応じた最適なＡＣ出力を得ることができるため、良好な清掃性を維持することが可能である。また、ＡＣ出力は、前記クリーニングブラシ１２使用量により低下させていくため、従来技術よりは、高圧系の放電障害を起こす可能性が低くなり、電子写真装置の信頼性を増し、常に安定した印刷品質を保つことができる。
【図面の簡単な説明】
【００１９】
【図１】本発明に係る電子写真装置の実施例を示す概略図。
【図２】本発明に係る電子写真装置の実施例におけるクリーニングブラシ使用量とＡＣ除電器出力制御を示す説明図。
【図３】本発明に係る電子写真装置の実施例におけるクリーニングブラシ使用量と清掃性の関係を示す説明図。
【図４】従来の電子写真装置の概略図。
【図５】従来のクリーニングブラシ使用量とＡＣ除電器出力制御を示す説明図。
【符号の説明】
【００２０】
１…感光体、２…帯電器、３…高圧電源、４…露光光源、５…現像ロール、６…現像機、７…転写器、８…ＡＣ除電器、９…シールド部材、１０…ワイヤ部材、１１…イレーズランプ、１２…クリーニングブラシ、１３…トナー、１４…未転写トナー、１５…キャリア、１６…現像剤、１７…用紙。
【図１】
2005077654.tif 000003
【図２】
2005077654.tif 000004
【図３】
2005077654.tif 000005
【図４】
2005077654.tif 000006
【図５】
2005077654.tif 000007